(57)【要約】【課題】多量のコメントが書き込まれても、面白味のあるコメントを表示することができること【解決手段】コメント配信サーバ２は、コメントデータが付与された時点における、動画再生時間とコメントデータとを含み、動画データに対応付けられたコメント情報を記憶する第１のコメント情報記憶部と、複数のコメント情報を読み出して端末装置３に配信するコメント情報配信部とを具備する。端末装置３は、動画配信サーバ１から配信される動画データを受信して再生する動画再生部と、動画に対応付けられた複数のコメント情報をコメント配信サーバ２から受信するコメント情報受信部と、動画再生部によって再生される動画を表示するとともに、再生する動画の動画再生時間に対応するコメント付与時間が対応づけられたコメントデータを複数のコメント情報から読み出し、読み出したコメントデータを動画とともに表示する表示部とを具備する。【選択図】図１
2008219424.tif 000002
【特許請求の範囲】
【請求項１】
動画データを配信する動画配信サーバと、動画に対するコメントを配信するコメント配信サーバと、端末装置とを具備するコメント配信システムであって、
前記コメント配信サーバは、
コメントデータが付与された時点における、前記動画データの再生開始時点を基準とした動画再生時間とコメントデータとを含み、前記動画データに対応付けられたコメント情報を記憶する第１のコメント情報記憶部と、
前記第１のコメント情報記憶部に記憶された複数のコメント情報を読み出して、前記端末装置に配信するコメント情報配信部と
を具備し、
前記端末装置は、
前記動画配信サーバから配信される動画データを受信して再生する動画再生部と、
前記再生する動画に対応付けられた複数のコメント情報を前記コメント配信サーバから受信するコメント情報受信部と、
前記コメント情報受信部が受信した複数のコメント情報を記憶する第２のコメント情報記憶部と、
前記動画再生部によって再生される動画を表示するとともに、再生する動画の動画再生時間に対応するコメント付与時間が対応づけられたコメントデータを前記第２のコメント情報記憶部に記憶された複数のコメント情報から読み出し、読み出したコメントデータを動画とともに表示する表示部と
を具備することを特徴するコメント配信システム。
【請求項２】
前記複数のコメント情報は、コメント情報と該コメント情報に対応付けられたマスタコメント情報であり、
前記コメント配信サーバのコメント情報配信部は、前記第１のコメント情報記憶部に記憶されたマスタコメント情報に含まれるコメントデータを全て読み出して、前記端末装置に配信し、前記第１のコメント情報記憶部に記憶されたコメント情報含まれるコメントデータのうち、予め決められた数のコメントデータを抽出して、前記端末装置に配信する
ことを特徴とする請求項１に記載のコメント配信システム。
【請求項３】
前記コメント配信サーバは、
前記コメント情報のうち、指定されたコメントデータを抽出してマスタコメント情報を生成し、該マスタコメント情報を第１のコメント情報記憶部に記憶させるマスタコメント設定部
を具備することを特徴とする請求項２に記載のコメント配信システム。
【請求項４】
前記端末装置は、
前記表示部によって表示された動画に対するコメント内容の入力を受け付けるとともに、コメント内容が入力された時点の動画再生時間をコメント付与時間としてコメント内容とともにコメント情報として前記コメント配信サーバに送信する送信部
を具備し、
前記コメント配信サーバは、
前記端末装置の送信部からコメント情報が送信される毎に、当該コメント情報を、前記第１のコメント情報記憶部のコメント情報に追加するコメント情報更新管理部
を具備することを特徴とする請求項２または請求項３に記載のコメント配信システム。
【請求項５】
動画に対するコメントを配信するコメント配信サーバであって、
コメントデータが付与された時点における、前記動画データの再生開始時点を基準とした動画再生時間とコメントデータとを含み、前記動画データに対応付けられたコメント情報を記憶するコメント情報記憶部と、
前記コメント情報記憶部に記憶された複数のコメント情報を読み出して、配信するコメント情報配信部と、
を具備することを特徴するコメント配信サーバ。
【請求項６】
動画データと、該動画データに対するコメントとを受信して表示する端末装置であって、
配信された動画データを受信して再生する動画再生部と、
前記再生する動画に対応付けられた複数のコメント情報を受信するコメント情報受信部と、
前記コメント情報受信部が受信した複数のコメント情報を記憶するコメント情報記憶部と、
前記動画再生部によって再生される動画を表示するとともに、再生する動画の動画再生時間に対応するコメント付与時間が対応づけられたコメントデータを前記コメント情報記憶部に記憶された複数のコメント情報から読み出し、読み出したコメントデータを動画とともに表示する表示部と
を具備することを特徴とする端末装置。
【請求項７】
動画データを配信する動画配信サーバと、動画に対するコメントを配信するコメント配信サーバと、端末装置とを具備するコメント配信システムにおけるコメント配信方法であって、
前記コメント配信サーバが、コメントデータが付与された時点における、前記動画データの再生開始時点を基準とした動画再生時間とコメントデータとを含み、前記動画データに対応付けられたコメント情報を記憶する第１のコメント情報記憶部に記憶された複数のコメント情報を読み出して、前記端末装置に配信する第１の過程と、
前記端末装置が、前記動画配信サーバから配信される動画データを受信して再生する第２の過程と、
前記端末装置が、前記再生する動画に対応付けられた複数のコメント情報を前記コメント配信サーバから受信し、受信した複数のコメント情報を第２のコメント情報記憶部に記憶する第３の過程と、
前記端末装置が、前記第２の過程によって再生される動画を表示するとともに、再生する動画の動画再生時間に対応するコメント付与時間が対応づけられたコメントデータを前記第２のコメント情報記憶部に記憶された複数のコメント情報から読み出し、読み出したコメントデータを動画とともに表示する第４の過程と
を具備することを特徴するコメント配信方法。
【請求項８】
動画に対するコメントを配信するコメント配信サーバが具備するコンピュータを、
コメントデータが付与された時点における、前記動画データの再生開始時点を基準とした動画再生時間とコメントデータとを含み、前記動画データに対応付けられたコメント情報を記憶するコメント情報記憶部に記憶された複数のコメント情報を読み出して、配信するコメント情報配信部
として機能させるプログラム。
【請求項９】
動画データと、該動画データに対するコメントとを受信して表示する端末装置が具備するコンピュータを、
配信された動画データを受信して再生する動画再生部、
前記再生する動画に対応付けられた複数のコメント情報を受信し、コメント情報記憶部に記憶するコメント情報受信部、
前記動画再生部によって再生される動画を表示するとともに、再生する動画の動画再生時間に対応するコメント付与時間が対応づけられたコメントデータをコメント情報記憶部に記憶された複数のコメント情報から読み出し、読み出したコメントデータを動画とともに表示する表示部
として機能させるプログラム。
【発明の詳細な説明】
【技術分野】
【０００１】
本発明は、動画コンテンツを再生しながら、再生中のコンテンツを利用してユーザ間のコミュニケーションを行うことができるコメント配信システム、コメント配信サーバ、端末装置、コメント配信方法、及びプログラムに関する。
【背景技術】
【０００２】
従来から、例えば、放送されたテレビ番組などの動画に対してユーザが発言したコメントをその動画と併せて表示するシステムがある。
例えば、地域ごとに放送時間が異なるテレビ番組等に関する掲示板において、テレビ番組の１シーンに対する書き込みを、放送開始からの正味時間に対応させて記憶しておき、掲示板を閲覧する時間が異なっていても、以前に書き込まれた内容がテレビ番組のシーンに合わせて表示させるシステムがある（例えば、特許文献１参照）。このシステムによれば、ユーザは放送時間のタイムラグを感じることがなく、テレビ番組を見ながら、コメントを閲覧して楽しむことができる。
【特許文献１】特開２００２−２９０９４９号公報
【発明の開示】
【発明が解決しようとする課題】
【０００３】
しかしながら、上述した従来技術におけるシステムにあっては、コメント数が多くなると、全てのコメントを表示しきれなくなってしまうため、例えば、直近に書き込まれた１００件などに表示するコメント数を制限すると、過去には面白味のあるコメントがあったにもかかわらず、面白味の無いコメントのみを表示してしまうことがあるという問題がある。
【０００４】
本発明は、このような事情に鑑みてなされたもので、その目的は、多量のコメントが書き込まれても、面白味のあるコメントを表示することができるコメント配信システム、端末装置、コメント配信サーバ、コメント配信方法およびプログラムを提供することにある。
【課題を解決するための手段】
【０００５】
この発明は上述した課題を解決するためになされたもので、本発明のコメント配信システムは、動画データを配信する動画配信サーバと、動画に対するコメントを配信するコメント配信サーバと、端末装置とを具備するコメント配信システムであって、前記コメント配信サーバは、コメントデータが付与された時点における、前記動画データの再生開始時点を基準とした動画再生時間とコメントデータとを含み、前記動画データに対応付けられたコメント情報を記憶する第１のコメント情報記憶部と、前記第１のコメント情報記憶部に記憶された複数のコメント情報を読み出して、前記端末装置に配信するコメント情報配信部とを具備し、前記端末装置は、前記動画配信サーバから配信される動画データを受信して再生する動画再生部と、前記再生する動画に対応付けられた複数のコメント情報を前記コメント配信サーバから受信するコメント情報受信部と、前記コメント情報受信部が受信した複数のコメント情報を記憶する第２のコメント情報記憶部と、前記動画再生部によって再生される動画を表示するとともに、再生する動画の動画再生時間に対応するコメント付与時間が対応づけられたコメントデータを前記第２のコメント情報記憶部に記憶された複数のコメント情報から読み出し、読み出したコメントデータを動画とともに表示する表示部とを具備することを特徴する。
【０００６】
また、本発明のコメント配信システムは、上述のコメント配信システムであって、前記複数のコメント情報は、コメント情報と該コメント情報に対応付けられたマスタコメント情報であり、前記コメント配信サーバのコメント情報配信部は、前記第１のコメント情報記憶部に記憶されたマスタコメント情報に含まれるコメントデータを全て読み出して、前記端末装置に配信し、前記第１のコメント情報記憶部に記憶されたコメント情報含まれるコメントデータのうち、予め決められた数のコメントデータを抽出して、前記端末装置に配信することを特徴とする。
【０００７】
また、本発明のコメント配信システムは、上述のコメント配信システムであって、前記コメント配信サーバは、前記コメント情報のうち、指定されたコメントデータを抽出してマスタコメント情報を生成し、該マスタコメント情報を第１のコメント情報記憶部に記憶させるマスタコメント設定部を具備することを特徴とする。
【０００８】
また、本発明のコメント配信システムは、上述のいずれかのコメント配信システムであって、前記端末装置は、前記表示部によって表示された動画に対するコメント内容の入力を受け付けるとともに、コメント内容が入力された時点の動画再生時間をコメント付与時間としてコメント内容とともにコメント情報として前記コメント配信サーバに送信する送信部を具備し、前記コメント配信サーバは、前記端末装置の送信部からコメント情報が送信される毎に、当該コメント情報を、前記第１のコメント情報記憶部のコメント情報に追加するコメント情報更新管理部を具備することを特徴とする。
【０００９】
また、本発明のコメント配信サーバは、動画に対するコメントを配信するコメント配信サーバであって、コメントデータが付与された時点における、前記動画データの再生開始時点を基準とした動画再生時間とコメントデータとを含み、前記動画データに対応付けられたコメント情報を記憶するコメント情報記憶部と、前記コメント情報記憶部に記憶された複数のコメント情報を読み出して、配信するコメント情報配信部とを具備することを特徴する。
【００１０】
また、本発明の端末装置は、動画データと、該動画データに対するコメントとを受信して表示する端末装置であって、配信された動画データを受信して再生する動画再生部と、前記再生する動画に対応付けられた複数のコメント情報を受信するコメント情報受信部と、前記コメント情報受信部が受信した複数のコメント情報を記憶するコメント情報記憶部と、前記動画再生部によって再生される動画を表示するとともに、再生する動画の動画再生時間に対応するコメント付与時間が対応づけられたコメントデータを前記コメント情報記憶部に記憶された複数のコメント情報から読み出し、読み出したコメントデータを動画とともに表示する表示部とを具備することを特徴とする。
【００１１】
また、本発明のコメント配信方法は、動画データを配信する動画配信サーバと、動画に対するコメントを配信するコメント配信サーバと、端末装置とを具備するコメント配信システムにおけるコメント配信方法であって、前記コメント配信サーバが、コメントデータが付与された時点における、前記動画データの再生開始時点を基準とした動画再生時間とコメントデータとを含み、前記動画データに対応付けられたコメント情報を記憶する第１のコメント情報記憶部に記憶された複数のコメント情報を読み出して、前記端末装置に配信する第１の過程と、前記端末装置が、前記動画配信サーバから配信される動画データを受信して再生する第２の過程と、前記端末装置が、前記再生する動画に対応付けられた複数のコメント情報を前記コメント配信サーバから受信し、受信した複数のコメント情報を第２のコメント情報記憶部に記憶する第３の過程と、前記端末装置が、前記第２の過程によって再生される動画を表示するとともに、再生する動画の動画再生時間に対応するコメント付与時間が対応づけられたコメントデータを前記第２のコメント情報記憶部に記憶された複数のコメント情報から読み出し、読み出したコメントデータを動画とともに表示する第４の過程とを具備することを特徴する。
【００１２】
また、本発明のプログラムは、動画に対するコメントを配信するコメント配信サーバが具備するコンピュータを、コメントデータが付与された時点における、前記動画データの再生開始時点を基準とした動画再生時間とコメントデータとを含み、前記動画データに対応付けられたコメント情報を記憶するコメント情報記憶部に記憶された複数のコメント情報を読み出して、配信するコメント情報配信部として機能させる。
【００１３】
また、本発明のプログラムは、動画データと、該動画データに対するコメントとを受信して表示する端末装置が具備するコンピュータを、配信された動画データを受信して再生する動画再生部、前記再生する動画に対応付けられた複数のコメント情報を受信し、コメント情報記憶部に記憶するコメント情報受信部、前記動画再生部によって再生される動画を表示するとともに、再生する動画の動画再生時間に対応するコメント付与時間が対応づけられたコメントデータをコメント情報記憶部に記憶された複数のコメント情報から読み出し、読み出したコメントデータを動画とともに表示する表示部として機能させる。
【発明の効果】
【００１４】
この発明によれば、コメント配信サーバのコメント情報配信部は、複数のコメント情報を配信するので、少なくとも一方のコメント情報には常に面白味のあるコメントデータを含むようにすることで、他方のコメント情報から面白味のあるコメントデータが無くなったときでも、端末装置は、面白味のあるコメントデータを表示するようにすることができる。
【発明を実施するための最良の形態】
【００１５】
以下、本発明の一実施形態によるコメント配信システムについて図面を参照して説明する。図１は、この発明の一実施形態によるコメント配信システムの構成を示す概念図である。この図において、動画配信サーバ１は、端末装置３からの配信要求に応じて、動画データを配信する。この配信は、例えば、ストリーミング配信によって行われる。コメント配信サーバ２は、動画配信サーバ１が配信する動画に対するコメントを端末装置３から受信し、その動画を閲覧する各端末装置３にコメント情報とサービス管理者に指定されたマスタコメント情報とを配信する。端末装置３は、ネットワーク４を介して動画配信サーバ１とコメント配信サーバ２に接続し、動画配信サーバ１から配信される動画を受信して表示するとともに、コメント配信サーバ２から配信されるコメント情報とマスタコメント情報とを受信して動画上に表示する。
【００１６】
次に、図１におけるコメント配信サーバ２、端末装置３について、図面を用いて更に説明する。図２は、コメント配信サーバ２の構成を示す概略ブロック図である。この図において、コメント情報記憶部２１は、コメントの内容と、このコメント内容が付与された時点における、動画の再生開始時点を基準とした動画再生時間をコメント付与時間としてコメント内容とを対応づけてコメント情報として記憶する。さらにコメント情報記憶部２１は、コメント情報のうち、特にサービス管理者によって指定されたコメント内容からなるマスタコメント情報（後述）を記憶する。
【００１７】
このコメント情報記憶部２１に記憶されるデータの一例を図３に示す。コメント情報記憶部２１には、動画配信サーバ１により配信される動画に対するコメントをスレッド毎にまとめたコメント情報が複数記憶されている。各コメント情報は、動画を識別する動画ＩＤとスレッドを識別するスレッドＩＤの情報を含み、どの動画に対するどのスレッドであるのかを識別できるようになっている。さらに、当該スレッドに対するマスタスレッドのスレッドＩＤであるマスタスレッドＩＤを含み、当該スレッドのコメントを表示する際に、常に表示すべきスレッドを識別できるようになっている。そして、コメント情報には、コメント付与時間とコメント内容の他に、そのコメントを付与（発言）した実際の時刻を示すコメント情報投稿実時間（上述の実時間情報に相当）と、コメントを付与したユーザを識別する情報であるユーザ名、コメントを動画上にどのように表示させるのかを指定する情報であるコメント表示方法を対応付けたコメントデータが複数含まれ、当該動画ＩＤの動画を再生しており、且つ当該スレッドＩＤのスレッドのコメントを閲覧している端末装置３からコメントデータを受信した場合には、当該受信したコメントデータが追加保存されるようになっている。ここでは、スレッドＩＤが動画ＩＤに対応づけて記憶されていることによって、同じ動画であっても、異なるスレッドを複数設けても、それらを識別することができる。
【００１８】
ここで、マスタスレッドとは、過去に投稿されたコメントの中から、サービス管理者などが選び出したコメントからなるスレッドであり、あるスレッドのコメントを表示するときには、そのスレッドのマスタスレッドのコメントも併せて表示する。以降、マスタスレッドのコメントをマスタコメント、マスタスレッドに指定されたコメント情報をマスタコメント情報という。サービス管理者などは、過去に投稿されたコメントの中で面白味のあるコメントを、マスタコメントに指定しておくことで、コメント数が多量になったときでも、面白味のあるコメントを端末装置３にて表示させることができる。コメント情報記憶部２１には、マスタコメント情報も、図３に例示したコメント情報の形式で記憶されている。本実施形態では、マスタコメント情報においては、マスタスレッドＩＤは空欄とするが、さらに他のスレッドのＩＤをマスタスレッドＩＤに設定しておくことで、そのスレッドのコメントを表示させるようにしてもよい。
このコメント情報記憶部２１が上述の第１のコメント情報記憶部に相当する。
【００１９】
次に、コメント情報配信部２２は、コメント情報記憶部２１に記憶されたコメント情報を読み出して、端末装置３に配信する。このとき、コメント情報配信部２２は、コメント情報記憶部２１に記憶された当該スレッドのコメント数が一定数を超えている場合は、最新のものから一定数のコメントに関するコメント情報を読み出して、端末装置３に配信する。なお、この一定数は、予め設定された定数でも良いし、対応する動画の長さに基づき決まる数であってもよい。コメント情報更新管理部２３は、通信部２４を介して端末装置３から受信した、追加となるコメント情報を動画ＩＤ、スレッドＩＤに従って、コメント情報記憶部２１に追加して記憶する。
【００２０】
マスタコメント設定部２５は、サービス管理者の操作指示に基づき、コメント情報記憶部２１に記憶されたコメントから、マスタコメントを抜き出し、これを新たなスレッドＩＤのコメント情報にしてコメント情報記憶部２１に記憶させる。このマスタコメント抜き出しの際は、操作指示により指定されたコメントとコメントデータ投稿実時間がそれ以前の一定数あるいは一定時間のコメントをマスタコメントとして抜き出すようにしてもよいし、それ以降の一定数あるいは一定時間のコメントをマスタコメントとして抜き出すようにしてもよい。また、マスタコメント設定部２５は、マスタコメントを抜き出した元のコメント情報のマスタスレッドＩＤに、生成したマスタスレッドのスレッドＩＤを登録する。マスタコメント情報配信部２６は、コメント情報配信部２２が配信したコメント情報のマスタスレッドＩＤに登録されているスレッドＩＤのコメント情報をコメント情報記憶部２１から読出し、マスタコメント情報として、端末装置３に配信する。
通信部２４は、端末装置３と各種通信を行い、端末装置３から送信される情報をコメント情報更新管理部２３に出力してコメント情報を追加して記憶させるための指示を出力をしたり、コメント情報配信部２２にコメント情報の配信指示を出力する。
【００２１】
次に、端末装置３について、図面を用いて説明する。図４は、端末装置３の構成を説明する概略ブロック図である。
この図において、動画再生部３１は、端末装置３のユーザによって指定された動画の配信要求を動画配信サーバ１に送信し、動画配信サーバ１から配信される動画を受信して再生する。コメント情報受信部３２は、再生する動画に対して入力されたコメント情報をコメント配信サーバ２から受信する。マスタコメント情報受信部４１は、コメントの中でもサービス管理者により指定されたマスタコメント情報をコメント配信サーバ２から受信する。コメント情報記憶部３３は、コメント情報受信部３２が受信したコメント情報およびマスタコメント情報受信部４１が受信したマスタコメント情報を記憶する。このコメント情報記憶部３３は、上述の第２のコメント情報記憶部に相当する。
【００２２】
表示装置３４は、液晶表示装置やＣＲＴ（Ｃａｔｈｏｄｅ  Ｒａｙ  Ｔｕｂｅ）等であり、各種情報を表示する。第１の表示部３５は、動画再生部３１によって再生される動画に複数のレイヤーを重ね合わせた画像を表示装置３４によって表示する。すなわち、第１の表示部３５は、動画再生部３１によって再生される動画を表示するレイヤーと、コメント情報記憶部３３に記憶されたコメント情報のうち、再生する動画の動画再生時間に対応するコメント付与時間が対応づけられたコメントを読み出し、読み出したコメントを表示するレイヤーと、コメント情報記憶部３３に記憶されたマスタコメント情報のうち、再生する動画の動画再生時間に対応するコメント付与時間が対応づけられたコメントを読み出し、読み出したコメントを表示するレイヤーとの３つのレイヤーを重ね合わせた画像を表示装置３４によって表示する。
第２の表示部３６は、コメント情報記憶部３３に記憶されるコメント情報とマスタコメント情報とのコメントデータに基づいて、コメントのリストをコメント一覧として表示装置３４に表示する。ここでは、コメントデータに含まれたコメント投稿実時間の情報の順に従って表示する。
【００２３】
この表示装置３４に表示される情報について、更に説明する。図５は、表示装置３４に表示される情報の一例を示す図である。表示欄１０１には、このコメント配信サーバにアクセスした際のＵＲＬ（uniform resource locator）が表示される。表示欄１０２には、再生される動画の動画ＩＤが表示される。表示欄１０３には、現在表示されている動画が閲覧要求されたのべ回数が閲覧回数として表示される。この閲覧回数は、他のユーザが動画を再生（閲覧要求）した場合には、その時点で同じ動画を閲覧中のユーザのカウント数が増加され、カウント数が更新されて表示される。表示欄１０４には、第１の表示部によって表示される動画が表示される。表示欄１０５は、第２の表示部によって表示されるコメントが表示される領域であり、ここでは、表示欄１０４によって表示される動画上にコメントが表示される。また、ここでは、表示欄１０５は、表示欄１０４よりも大きいサイズに設定されており、オーバーレイ表示されたコメント等が、動画の画面の外側でトリミングするようになっており、コメントそのものが動画に含まれているものではなく、動画に対してユーザによって書き込まれたものであることが把握可能となっている。
【００２４】
操作パネル１０６は、再生ボタン、停止ボタン、巻き戻しボタン、早送りボタン、音量調整ボタン、動画全体のどのあたりを再生しているのかを示す再生状態表示欄、などが表示されており、マウスによっていずれかのボタンにカーソルを合わせてクリックされることによって、そのボタンに応じた操作の入力を受け付けする。表示欄１０７には、動画全体の再生時間長と、現在表示欄１０５に表示されている動画の動画再生時間とが表示される。入力欄１０８には、動画に対して発言するユーザの名前が入力部３７を介して入力される。ここで、入力欄１０８の近傍にチェックボックスを設けておき、このチェックボックスがチェックされたか否かに従って、メールアドレスを入力するか否かを選択させ、チェックボックスがチェックされた場合に、入力欄１０８を２つにし、ユーザの名前と、ユーザのメールアドレスとの入力を受け付けるようにしてもよい。入力欄１０９には、コメントの表示のさせ方を指定する情報が入力される。コメントの表示のさせ方としては、例えば、コメントの動画上に表示させる位置、フォント、文字のサイズ、移動表示させる開始位置と終了位置と移動表示させる方向等を、オーバーレイ表示をさせるための指定をする情報として設定可能である。なお、ここで、コメントの表示のさせ方については、予め決めておき、ユーザが入力しなくてもよいようにすることも可能である。
【００２５】
コメント欄１１０には、入力部３７を介してユーザによってコメントが入力される。ボタン１１１は、クリックされることによって、コメント欄１１０に入力されたコメントや、入力欄１０８に入力されたユーザの名前や、入力欄１０９に入力されたコメントの表示のさせ方の情報をコメント配信サーバ２に送信する。表示欄１１２は、コメントのリストであるコメント一覧が表示される領域である。このコメント一覧には、コメントに付与された発言順序を示す番号（符号１１２ａ）、マスタコメントであることを示すマーク（符号１１２ｂ）、コメントを入力したユーザの名前（符号１１２ｃ）、コメントの書き込みをしたコメント付与時間（符号１１２ｄ）、発言されたコメントの一部（符号１１２ｅ）が、投稿された実時間情報の順に従って表示される。この表示欄１１２に、表示欄１１２を画面上に表示させるか否かを指定するチェックボックス等の入力欄を設け、この入力欄に入力された表示の可否の指示に従い、表示をさせるあるいは、表示を隠すようにすることも可能である。また、この表示欄１１２に表示させるコメントの一部の個数をユーザの指示に従って、変更するようにしてもよい。表示欄１１３は、表示欄１１２に表示されたコメント一覧のうち、ユーザのよってカーソルが合わせられたコメントの詳細が表示される。コメントの詳細としては、コメントの全文や、コメントを発言したユーザの名前、メールアドレスなどが表示される。
【００２６】
チェックボックス１１４は、チェックマークを入力しておくことによって、コメント欄１１０に入力されるコメントを１行として指定するものである。例えば、チェックボックス１１４にチェックマークを入力しておき、コメントを入力が完了し、例えばエンターキーなどを押下して入力を完了すると、そのエンターキーを押下した時点で、「書く」のボタンがクリックされたものとして、コメントがコメント配信サーバ２に送信される。これにより、コメントを手早く簡単に入力することが可能である。
【００２７】
次に、図４に戻り、入力部３７は、マウスやキーボード等の入力装置であり、ユーザからの各種情報の入力を受け付ける。選択部３８は、第２の表示部３６によって表示されたコメントのリストのうち、入力部３７を介して入力されるコメントの選択の入力を受け付ける。再生制御部３９は、選択部３８によって選択されたコメントのコメントデータをコメント情報記憶部３３から読み出し、読み出したコメントデータのコメント付与時間に対応する動画再生時間から、動画を第１の表示部によって再生させ表示装置３４に表示させるとともに、読み出したコメントデータのコメント内容を第１の表示部３５によって表示装置３４に表示させる。
【００２８】
送信部４０は、第１の表示部３５によって表示された動画に対するコメント内容のデータ入力を受け付けるとともに、コメント内容が入力された時点の動画再生時間をコメント付与時間としてコメント内容とともにコメント配信サーバに送信する。また、送信部４０は、入力部３７から入力された指示に従って、各種情報をコメント配信サーバ２や動画配信サーバ１に送信する機能を有する。
【００２９】
次に、上述したコメント配信システムの動作について説明する。ここでは、まず、コメント配信システムの動作の概略について説明する。
まず、端末装置３は、コメント配信サーバ２にアクセスして、コメントの書込み時間が最近のものである動画の一覧のデータを受信し、表示装置３４に表示する。この時、例えば、表示装置３４には、図６に示すような、最近の動画一覧として、動画名、スレッド名等が表示される。ここで、ユーザによって閲覧したいスレッドが選択され、そのスレッドの名称をマウスによってクリックされると、端末装置３は、クリックされたスレッドに対応する動画に設定されている動画ＩＤを動画配信サーバ１に送信し、動画の配信要求を行うとともに、クリックされたスレッドに設定されたスレッドＩＤと動画ＩＤをコメント配信サーバ２に送信し、コメント情報の送信要求をする。これを受けて、動画配信サーバ１は、動画ＩＤによって指定された動画を、配信要求をした端末装置３にストリーミング配信する。一方、コメント配信サーバ２は、スレッドＩＤと動画ＩＤに対応するコメント情報とこのコメント情報のマスタコメント情報とをコメント情報記憶部２１から読み出して、配信要求をした端末装置３に配信する。
【００３０】
端末装置３は、動画配信サーバ１から配信された動画を受信して表示装置３４に表示するとともに、コメント配信サーバ２から配信されたコメント情報とマスタコメント情報とに基づいてコメント内容を動画上に表示する。ここでは、動画の再生を開始してからの動画再生時間に合わせて、その動画再生時間に一致するコメント付与時間が設定されたコメント内容が順次動画上に表示される。
【００３１】
次に、コメント配信サーバ２、端末装置３の動作について、順次説明する。
まず、コメント配信サーバ２の動作について、図７のフローチャートを用いて説明する。
コメント配信サーバ２の通信部２４は、コメント情報の配信要求を端末装置３から受信したか否かを検出する（ステップＳ１０１）。コメント情報の配信要求を受信した場合には、通信部２４は、コメント情報配信部２２にコメント情報の配信指示をする。ここでは、配信要求に含まれる、コメント情報の動画ＩＤ及びスレッドＩＤがコメント情報配信部２２に出力される。コメント情報配信部２２は、通信部２４から出力された動画ＩＤ及びスレッドＩＤに対応するコメント情報のコメント情報記憶部２１から読み出し（ステップＳ１０２）、読み出したコメント情報を配信要求をした端末装置３に配信する（ステップＳ１０３）。ここでは、動画ＩＤ及びスレッドＩＤに対応付けされている各コメント情報を一括して送信する。
【００３２】
さらに、コメント情報配信部２２は、配信したコメント情報のマスタスレッドＩＤを読み出し、読み出したマスタスレッドＩＤのマスタコメント情報の配信を、マスタコメント情報配信部２６に要求する。このマスタスレッドＩＤを受けたマスタコメント情報配信部２６は、受けたマスタスレッドＩＤをスレッドＩＤとするコメント情報をコメント情報記憶部２１から読出し（ステップＳ１０４）、読み出したマスタコメント情報を端末装置３に配信する（Ｓ１０５）。
【００３３】
一方、ステップＳ１０１にて判定したコメント情報の配信要求ではなく、端末装置３から送信されたコメントデータを受信した場合（ステップＳ１０６）、通信部２４は、コメントデータをコメント情報更新管理部２３に出力する。コメント情報更新管理部２３は、コメント情報記憶部２１を参照し、通信部２４から出力されたコメントデータに含まれる動画ＩＤ及びスレッドＩＤに基づいてコメント情報を特定し、特定したコメント情報に対し、受信したコメントデータを追加保存する（ステップＳ１０７）。追加保存されると、コメント情報配信部２２は、当該動画ＩＤの動画を再生している端末装置３であって、当該動画ＩＤの動画とともに当該スレッドＩＤのコメントを閲覧している端末装置３を特定し、その特定した端末装置３のそれぞれに、追加保存したコメントデータを配信する（ステップＳ１０８）。ここで、同じ動画ＩＤの動画を再生しており、且つ当該スレッドＩＤのスレッドのコメントを閲覧している端末装置３を特定する方法としては、例えば、コメント配信サーバ２にアクセスしてきた端末装置３とセッションを確立しておき、このセッションが有効な端末装置３を動画閲覧中として特定することなどがある。
【００３４】
他方、ステップＳ１０１にて判定したコメント情報の配信要求ではなく、ステップＳ１０６にて判定した端末装置３から送信されたコメントデータの受信もしていない場合に、マスタコメントの設定操作を受け付けたときは（Ｓ１０９）、マスタコメント設定部２５は、コメント情報記憶部２１に記憶されたコメントから、指定された範囲のコメントをマスタコメントとして抜き出し、これを新たなスレッドＩＤのコメント情報にしてコメント情報記憶部２１に記憶させる（Ｓ１１０）。
ステップＳ１０１にて判定したコメント情報の配信要求でもなく、ステップＳ１０６にて判定したコメントデータの受信でもなく、ステップＳ１０９にて判定したマスタコメントの設定操作でもないときは、ステップＳ１０１に戻る。
【００３５】
次に、端末装置３の動作について図面を用いて説明する。図８は、端末装置３の動作を説明するためのフローチャートである。
端末装置３の入力部３７は、ユーザから動画再生の指示が入力されると（ステップＳ２０１）、指示された動画の動画ＩＤを送信部４０によって動画配信サーバ１に送信し、動画の配信要求をするとともに、コメント情報の配信要求をコメント配信サーバ２に送信する。そして、コメント情報受信部３２は、コメント配信サーバ２から配信されるコメント情報を受信したならば、コメント情報記憶部３３に記憶する。また、マスタコメント情報受信部４１は、コメント配信サーバ２から配信されるマスタコメント情報を受信したならば、コメント情報記憶部３３に記憶する（ステップＳ２０２）。
【００３６】
コメント情報とマスタコメント情報が受信されコメント情報記憶部３３に記憶されると、動画再生部３１は、動画配信サーバ１から配信される動画を受信し、受信した動画を再生し、第１の表示部３５によってこの動画のレイヤーを表示装置３４に表示する（ステップＳ２０３）。動画の再生が開始されると、第１の表示部３５は、現在の動画再生時間に基づいて、動画再生時間に一致するコメント付与時間が設定されたコメントデータがあるか否かをコメント情報記憶部３３のコメント情報とマスタコメント情報とを参照して、判定する（ステップＳ２０４）。動画再生時間に一致するコメント付与時間が設定されたコメントデータがある場合（ステップＳ２０５−ＹＥＳ）、第１の表示部３５は、当該コメントデータの表示位置を算出する（ステップＳ２０６）。そして算出された表示位置に従って、動画のレイヤーに重ね合わせたコメント情報のレイヤーとマスタコメント情報のレイヤーとにコメントの表示制御を行う（ステップＳ２０７）。このとき、コメントデータがマスタコメントであるか否かによって、フォント、色、文字サイズ、表示位置、移動スピード（後述）などを変更するようにしてもよい。
一方、動画再生部３１は、再生が終了したか否かを判定し、再生が終了していれば処理を終了し、再生が終了してなければ、ステップＳ２０４に移行する。
【００３７】
一方、ステップＳ２０５において、表示させるコメントがなければ、送信部４０は、入力部３７からコメントが入力されたか否かを検出する（ステップＳ２０９）。コメントの入力があった場合には、そのコメントが入力された時点（例えば、「書く」ボタン（符号１１１）がクリックされた時点）における、その動画を再生しているソフトウェアのプレイヤーが指す再生時間（動画再生時間）を読み出し、その動画再生時間をコメント付与時間とし、再生中の動画の動画ＩＤと、閲覧中のコメントのスレッドＩＤと、現在の実時間情報（現在時刻の情報）と、端末装置３のユーザのユーザ名と、入力されたコメント内容と、コメント表示方法とを対応づけて、コメント情報としてコメント情報記憶部３３のコメント一覧に追加保存する（ステップＳ２１０）。そして、送信部４０は、追加保存したコメント情報をコメント配信サーバ２に送信し（ステップＳ２１１）、ステップＳ２０８に移行する。
【００３８】
ステップＳ２０９において、コメントの入力ではない場合、端末装置３はコメント情報受信部３２によって、コメントデータを受信したか否かを検出する（ステップＳ２１２）。コメントデータを受信した場合、コメント情報受信部３２は、受信したコメントデータをコメント情報記憶部３３に追加保存し（ステップＳ２１３）、ステップＳ２０８に移行する。
【００３９】
一方、ステップＳ２１２において、コメントデータの受信ではない場合、端末装置３の選択部３８は、入力部３７から、コメント選択操作の入力があったか否かを検出する（ステップＳ２１４）。コメント選択操作の入力があった場合、選択部３８は、選択されたコメントデータのコメント内容を再生制御部３９に出力する。再生制御部３９は、この出力を受けて、選択されたコメントデータに対応づけて記憶されたコメント付与時間をコメント情報記憶部３３を参照して読み出し、読み出したコメント付与時間に応じた動画再生時間に従って、動画再生位置の巻き戻し、あるいは早送りをすることによって、コメントデータに対応づけて記憶されたコメント付与時間に一致する動画再生時間から再生を行わせ（ステップＳ２１５）、そのコメント付与時間のコメント内容を表示させ、ステップＳ２０８に移行する。
【００４０】
次に、コメントが画面上に表示された場合について図面を用いて説明する。ここでは、図５の「最近のコメント一覧」において、「有名シェフのオムライス」の動画に対応付けされた「料理の感想を言おう！」というスレッドが選択された場合について説明する。このスレッドが選択されると、「有名シェフのオムライス」の動画が例えば、図５の表示欄１０４の領域内に再生される。そして、動画再生時間に応じてコメントが動画上に順次表示される。図５では、動画再生時間が９秒の場合の画面が示してあり、ここでは、コメント付与時間が９秒のユーザＦのコメントである「おいしそう〜！」が、画面の右側から左側に移動表示される（符号１１５）。
【００４１】
なお、上述した実施形態においては、コメント一覧にコメントが追加されて、追加されたコメントがユーザによってクリックされた場合に、コメントに設定されているコメント付与時間に一致する動画再生時間から再生され、コメントが表示される場合について説明したが、追加されたコメントがクリックされなければ、動画再生時間が、追加されたコメントに設定されているコメント付与時間に到達した時点で、そのコメントが動画上に表示される。
また、仮に自分が閲覧している動画の動画再生時間において、他のユーザによってコメントが書き込まれたとしても、実時間の順でコメント一覧に表示されるので、その追加されたコメントをクリックすることによって、そのコメントが書き込まれた時点に巻き戻しあるいは早送りをして、コメントを閲覧することができる。また、ここでは、動画再生時間が巻き戻しされることによって、新たに追加で書き込まれたコメントも含めて、それまでに書き込みされたコメントがコメント付与時間に応じて、動画再生時間に従って、順次表示される。
【００４２】
また、ここでは、操作パネル１０６の再生状態表示欄のスライドバーを移動させることにより、再生時間の巻き戻し、早送りをすることも可能であるが、この操作であると、動画が巻き戻しあるいは早送りされてしまい、見たいコメントがすぐに画面上から消え、見つかりにくい場合があるが、コメント一覧から選択することにより、見たい場面からみることも可能である。
また、上述した実施形態においては、コメント配信サーバ２から配信されたコメントデータを端末装置３が受信して画面に反映して表示させる場合について説明したが、自身の端末装置３において、ユーザから入力されたコメントについては、コメントが入力された時点ですぐに（コメント配信サーバ２に送信してコメント配信サーバ２側で受信される前に）画面に表示させるようにしてもよい。具体的には、図８のステップＳ２０９においてコメントが入力されると、その入力されたコメントを自身の端末装置３において表示し、ステップＳ２１０に移行し、入力されたコメントをコメント一覧に追加保存し、その後、コメント配信サーバ２に送信するようにしてもよい。
【００４３】
次に、コメントの表示について説明する。
入力されたコメントは、画面上の上段、中段、下段など、表示させる位置や、コメントを移動表示させる表示時間を入力欄１０９に入力することによって設定することが可能である。また、表示時間を設定する場合は、例えば、画面の上段にコメントを一定時間（例えば、４秒）表示させて消すようにすることができる。また、画面の表示領域内に現れてから領域外に移動して消えるまでの時間を指定して（例えば、４秒）、移動スピードを調整することも可能である。また、ある動画再生時間に多数のコメントが集中して入力された場合等において、それらを表示させると同じ高さのラインで重なってしまう場合は、画面上の高さを変えて表示あるいは、移動表示させることが可能である。また、表示時間が設定されたことによって、コメントの文字列の長さに応じて移動スピードが異なる場合は、コメントが移動し終わる前に次のコメントが追いついてしまう場合もあるので、このような場合にも、次のコメントを違う高さのラインに表示または、移動表示させるようにしてもよい。
【００４４】
また、コメントは、文章を入力するだけでなく、文字や記号等を並べ、アスキーアート（テキストアートともいう）をコメントとして入力することも可能である。この場合、チェックボックス１１４の「１行」のチェックを外し、数行に渡って文字や記号を記述することで、風景描写や写実画を描くことも可能である。ここでは、アスキーアートの全ての行が画面内に収まるように、必要に応じて、文字フォントを拡大あるいは縮小させるようにしてもよい。
【００４５】
また、実時間に基づいて、コメントの新旧を判断し、実時間において古い時点で入力されたコメントを表示した一定時間後に半透明に表示させ、そののち、消すようにしてもよい。また、コメントに重要度を設定し、重要度に応じてコメントの文字サイズを変更するようにしてもよい。例えば、レスポンスコメント数が多いものについては、重要度が大きいものとして判断し、ルートのコメントの文字サイズを大きくするようにすることができる。また、コメントの縦方向（画面の鉛直方向）における表示位置を重要度に応じて変更するようにしてもよい。例えば、重要度が高いコメントは、画面上段のラインに表示させ、重要度が低いコメントは、画面下段のラインに表示させるようにしてもよい。
【００４６】
なお、上述した実施形態において、動画配信サーバ１とコメント配信サーバ２とが別のサーバである場合について説明したが、同一のサーバで、動画配信サーバ１とコメント配信サーバ２との機能を実現するようにしてもよい。
また、上述した実施形態においては、本サービスにおけるコメントと動画の閲覧を行う場合に、コメント配信サーバ２にアクセスして、最近のコメント一覧のデータを受信し、表示装置３４に表示された最近のコメント一覧から動画とスレッドを選択する場合について説明したが、この動画とスレッドを指定して、コメントと動画の閲覧できるＵＲＬを作成し、インターネット上に公開するようにしてもよい。具体的には、動画ＩＤとスレッドＩＤが含まれ、クリックをするとその動画の再生とそのスレッドのコメント情報を受信することができるＵＲＬをブログやインターネットのサイト上の掲示板に書き込みをして他のユーザにクリックさせるようにしてもよい。また、このようなＵＲＬをサムネイル画像等に設定しておき、クリックをさせるようにしてもよい。
【００４７】
また、上述した実施形態においては、本サービスにおけるコメントと動画の閲覧を行う場合に、コメント配信サーバ２にアクセスして、最近のコメント一覧のデータを受信し、表示装置３４に表示された最近のコメント一覧から動画とスレッドを選択する場合について説明したが、マスタスレッドの一覧のデータを受信し、表示装置３４に表示されたマスタスレッド一覧から動画とマスタスレッドを選択して、動画とコメントの閲覧およびコメントの入力を行なうようにしてもよい。この場合、入力されたコメントは、新規のスレッドに登録されるので、あるスレッドをマスタスレッドとするスレッドが複数生成される。また、マスタスレッド一覧から当該スレッドをマスタスレッドとするスレッドのコメント一覧のデータをコメント配信サーバ２から受信し、表示装置３４に表示されたこのコメント一覧から動画とスレッドを選択して、動画とコメントの閲覧およびコメントの入力を行なうようにしてもよい。
【００４８】
また、このような最近のコメント一覧について、動画とコメントの閲覧をしている画面（例えば、図５）において、その画面の右側や下方に、サムネイル画像を表示したり、アクセス数が多いスレッドをランキングとして表示させておき、ユーザにクリックさせ、そのクリックされたサムネイル画像に設定されたスレッドを表示させるようにしてもよい。
【００４９】
また、上述した実施形態においては、動画ＩＤ及びスレッドＩＤを指定する場合について説明したが、その動画ＩＤに代表スレッドＩＤを予め登録してき、動画ＩＤのみが指定された場合、その代表スレッドを表示させるようにしてもよい。また、どのスレッドに書き込むのかについて指定されずに、単に動画に対してコメントが入力された場合、代表スレッドに書き込みが行われるようにしてもよい。また、スレッド内にコメントが一定件数（例えば、１００件）が発言された場合に、新たなスレッドをコメント配信サーバ２あるいはユーザが生成するようにしてもよい。
【００５０】
また、コメント一覧については、コメントが動画上に一度表示されたもの、あるいは、ユーザがコメント一覧の中からクリックして閲覧したものについては、コメント一覧において、閲覧済みであることを特定できるようにしてもよい。例えば、文字色を変えたり、閲覧済みであることを示すマークを表示するようにしてもよい。
【００５１】
また、ユーザ毎に個別のユーザ識別子を付与し、例えばコメントにユーザ識別子を対応づけてコメントデータとするようにしてもよい。これにより、誰が発言したコメントなのかを識別することが可能である。さらに、ユーザ識別子に応じて、コメントを異なる文字色によって表示するようにしてもよい。これにより、発言したユーザを識別することが可能となる。
また、事前にシステムにアクセスしてきたユーザにユーザＩＤを割り振り、このユーザＩＤをコメントデータに含めて記憶することにより、各ユーザが発言したコメントを例えばポップアップ表示等により一覧表示できるようにしてもよい。なおこのユーザＩＤは、事前のユーザ登録によって各ユーザに割り当ててもよいし、端末装置を識別する情報を用いるようにしてもよい。この端末装置を特定する情報を用いる場合、例えば、その端末装置を特定する情報を元にハッシュ関数によって演算し、その演算結果をユーザＩＤとしてもよい。
【００５２】
また、端末装置３が表示する図５に示すような画面に削除ボタンを設けておき、表示欄１１２に表示されているコメント一覧にてユーザがコメントを選択し、さらに削除ボタンを押すと、端末装置３が該操作指示を受けて、該コメントの削除要求をコメント配信サーバ２に送信するようにしてもよい。この場合、コメント配信サーバ２は、コメントの削除要求を受けると、コメント情報記憶部２１に記憶されている該コメントに非表示のフラグを立て、当該スレッドのコメントを閲覧中の端末装置３に該コメントの削除要求を送信し、これを受信した端末装置３は、該当するコメントデータをコメント情報記憶部３３から削除する。また、以後、コメント配信サーバ２は、端末装置３へコメント情報を配信する際に非表示のフラグが立っている当該コメントのコメントデータを配信しない。あるいは、非表示のフラグが立っているコメントについては、これを受信しても端末装置３は表示しない。
さらに、コメント配信サーバ２にて、ユーザ管理を行ない、このコメントの削除要求については、対象となるコメントが含まれるスレッドの管理ユーザからのもののみコメント配信サーバ２が受け付けるようにしてもよい。
【００５３】
また、１つの動画に対して、複数のスレッドを持つことができるので、日本語、英語、ハングルなどの言語毎にスレッドを分けてもよい。端末装置３は、これらの言語毎のスレッドを、選択できるボタンを表示しておき、ユーザの操作指示により切り替えられた言語のスレッドのレイヤーを動画のレイヤーに重ね合わせて表示するようにしてもよい。またこれらの言語毎のスレッドが複数選択されたときは、動画のレイヤーに、選択された複数の言語の各レイヤーを重ね合わせて表示するようにしてもよい。
【００５４】
また、本実施形態において、マスタコメントは、サービス管理者が指定したコメントデータを、コメント配信サーバ２のマスタコメント設定部２５が抽出してマスタコメント情報を生成するとして説明したが、端末装置３からユーザが指定したコメントデータを表す情報を、コメント配信サーバ２のマスタコメント設定部２５が受けて、マスタコメント設定部２５がマスタコメント情報を生成するようにしてもよい。さらに、この場合、コメント配信サーバ２はユーザＩＤを登録管理し、各スレッドを管理するユーザのみが、該スレッドのマスタコメント情報の生成を指示できるようにしてもよい。
【００５５】
また、本実施形態において、マスタコメント情報は、コメント情報と同様のデータ形式であるとして説明したが、スレッドＩＤとコメントデータ投稿実時間などによるコメント情報への参照情報であってもよい。
また、本実施形態において、マスタコメント情報は、マスタコメント設定部２５がコメント情報から抽出して生成するとして説明したが、マスタコメント設定部２５に直接入力されたコメントデータをマスタコメント情報としてコメント情報記憶部２１に記憶させるようにしてもよい。
【００５６】
このように、コメント配信サーバ２のコメント情報配信部２２がコメント情報を配信するとともに、マスタコメント情報配信部２６が該コメント情報に対応付けられたマスタコメント情報を配信し、端末装置３の表示装置３４は、動画とともにこれらコメント情報とマスタコメント情報とに含まれるコメントデータを表示するので、マスタコメント情報に面白味のあるコメントデータを登録しておくことで、コメントの投稿数が多量になってしまい、コメント情報に面白味のあるコメントデータが含まれなくなったときであっても、端末装置３は、面白味のあるコメントデータを表示することができる。
【００５７】
また、以上説明した実施形態において、図２におけるコメント情報配信部２２、コメント情報更新管理部２３、通信部２４、マスタコメント設定部２５、マスタコメント情報配信部２６の機能を実現するためのプログラム、あるいは、図４における、動画再生部３１、コメント情報受信部３２、第１の表示部３５、第２の表示部３６、入力部３７、選択部３８、再生制御部３９、送信部４０、マスタコメント情報受信部４１の機能を実現するためのプログラムをコンピュータ読み取り可能な記録媒体に記録して、この記録媒体に記録されたプログラムをコンピュータシステムに読み込ませ、実行することによりコメントの配信、コメントの表示制御を行ってもよい。なお、ここでいう「コンピュータシステム」とは、ＯＳや周辺機器等のハードウェアを含むものとする。
【００５８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５９】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００６０】
この発明は、インターネットを介した動画ストリーム配信に対して、コメントを付与するコメント配信システムに用いて好適であるが、これに限定されない。
【図面の簡単な説明】
【００６１】
【図１】この発明の一実施形態によるコメント配信システムの構成を示す概略概念図である。
【図２】コメント配信サーバ２の構成を示す概略ブロック図である。
【図３】コメント情報記憶部２１に記憶されるデータの一例を示す図である。
【図４】端末装置３の構成を示す概略ブロック図である。
【図５】表示装置３４に表示される情報の一例を示す図である。
【図６】表示装置３４に表示される情報の一例を示す図である。
【図７】コメント配信サーバ２の動作について説明するためのフローチャートである。
【図８】端末装置３の動作について説明するためのフローチャートである。
【符号の説明】
【００６２】
１…動画配信サーバ
２…コメント配信サーバ
３…端末装置
２１…コメント情報記憶部
２２…コメント情報配信部
２３…コメント情報更新管理部
２４…通信部
２５…マスタコメント設定部
２６…マスタコメント情報配信部
３１…動画再生部
３２…コメント情報受信部
３３…コメント情報記憶部
３４…表示装置
３５…第１の表示部
３６…第２の表示部
３７…入力部
３８…選択部
３９…再生制御部
４０…送信部
４１…マスタコメント情報受信部
【図１】
2008219424.tif 000003
【図２】
2008219424.tif 000004
【図３】
2008219424.tif 000005
【図４】
2008219424.tif 000006
【図５】
2008219424.tif 000007
【図６】
2008219424.tif 000008
【図７】
2008219424.tif 000009
【図８】
2008219424.tif 000010